(57)【特許請求の範囲】
【請求項１】
上側に開口部(11a)を有するコンソールボックス本体(11)と、前記開口部(11a)を開閉可能に取付けられた蓋体(12)とを備えた車両用コンソールボックスにおいて、
前記蓋体(12)にこの蓋体(12)の内面と間隔をあけて対面するカード収納用の棚板(18)が設けられ、
前記棚板(18)の幅方向中央部に長手方向に連続する切欠き(18a)が形成され、
前記棚板(18)に置かれたカード(19)の長手方向の移動を禁止する前壁(18b)及び後壁(18c)と前記カード(19)の幅方向の移動を禁止する側壁(18d,18d)が前記棚板(18)に形成され、
前記蓋体(12)の内面に互いに平行な複数のリブ(21)が前記棚板(18)に向って前記蓋体(12)の長手方向に突設され、
前記複数のリブ(21)は前記棚板(18)のカード挿脱側に対向する第１部分(21a)が低くかつ前記棚板(18)の内部に対向する第２部分(21b)が前記第１部分(21a)より高く形成され、
前記第１部分(21a)の先端は前記前壁(18b)の先端とカード挿入可能な隙間を有する所定の間隔をあけるように形成され、
前記第２部分(21b)は先端が前記後壁(18c)と僅かに重なる高さを有し前記棚板(18)に置かれたカード(19)の上方向の移動を禁止するように形成された
ことを特徴とする車両用コンソールボックス。
【発明の詳細な説明】
【０００１】
【発明の属する技術分野】
本発明は、車両用のコンソールボックス関する。更に詳しくは、開口部を有するコンソールボックス本体とこの開口部を開閉可能に取付けられた蓋体とを備えた車両用コンソールボックス関するものである。
【０００２】
【従来の技術】
従来、車両には運転者又は乗員が持込む小物を収納するためのグラブボックスやコンソールボックス等が設けられる。これらのグラブボックスやコンソールボックス等を有効に利用することにより運転者又は乗員はその小物の紛失等を防止できるようになっている。一方、近年においては車両に持込む小物の中にガソリンスタンドや高速道路等で使用可能な各種のカードが含まれ、従来のグラブボックスやコンソールボックス等にこれらのカードをその他の小物と一緒に収納すると、カード自体が他の小物の下敷になって折れ曲ったり汚れたりする不具合がある。また、カードをその他の小物と一緒に収納するとそのカードを使用する際に取出しにくい問題点もある。
【０００３】
この点を解消するために、運転席と助手席の間のコンソールボックスの内部に運転者又は乗員が持込むカードと他の小物を仕切るための仕切板を設けることや、コンソールボックスの蓋体の内面にカード用の小物収納用ポケットを形成したものが知られている（実開平６−８１８３７）。この仕切板により仕切られたコンソールボックス内部にカードを他の小物と区別して収納することにより、又は蓋体の内面に形成された小物収納用ポケットにカードを独立して収納することにより、そのカードの折り曲り等を防止するとともに、カードを使用する際にコンソールボックスからその取出しを容易に行うことが期待されている。
【０００４】
【発明が解決しようとする課題】
しかし、内部に仕切板を設けたコンソールボックスでは他の小物、例えばカセットテープやＣＤ等を多数収納しようとするとカードを収納する空間が狭められる不具合がある。また、蓋体の内面に小物収納用ポケットを形成したものでは、カードの収納は容易であっても、そのポケットからカードを取出しにくい不具合がある。この場合、ポケットにカード取り出し用の開口部を形成し、その開口部を開閉自在のリッドを設けることも提案されているが、リッド等を設けることはそのポケット自体の構造が複雑になり、リッドをその弾性により開閉するものにあっては樹脂の塑性変形によりリッド自体が破損する問題点もある。
本発明の目的は、カードを他も小物と有効に区別して収納し、その収納及び取出しが容易なコンソールボックスを提供することにある。
【０００５】
【課題を解決するための手段】
請求項１に係る発明は、図１及び図５に示すように、上側に開口部１１ａを有するコンソールボックス本体１１と、開口部１１ａを開閉可能に取付けられた蓋体１２とを備えた車両用コンソールボックスの改良である。
その特徴ある構成は、蓋体１２にこの蓋体１２の内面と間隔をあけて対面するカード収納用の棚板１８が設けられ、棚板１８の幅方向中央部に長手方向に連続する切欠き１８ａが形成され、棚板１８に置かれたカード１９の長手方向の移動を禁止する前壁１８ｂ及び後壁１８ｃとカード１９の幅方向の移動を禁止する側壁１８ｄ，１８ｄが棚板１８に形成され、蓋体１２の内面に互いに平行な複数のリブ２１が棚板１８に向って蓋体１２の長手方向に突設され、複数のリブ２１は棚板１８のカード挿脱側に対向する第１部分２１ａが低くかつ棚板１８の内部に対向する第２部分２１ｂが第１部分２１ａより高く形成され、第１部分２１ａの先端は前壁１８ｂの先端とカード挿入可能な隙間を有する所定の間隔をあけるように形成され、第２部分２１ｂは先端が後壁１８ｃと僅かに重なる高さを有し棚板１８に置かれたカード１９の上方向の移動を禁止するように形成されたところにある。
この請求項１に係る発明では、蓋体１２に設けられたカード収納用の棚板１８にカードを収納する。収納されたカード１９を棚板１８から取出すには、切欠き１８ａから押上げてカード１９を移動させることにより取出す。
【０００６】
そして、低く形成されたカード挿脱側に対向する第１部分２１ａから棚板１８に挿入することによりカードを収納し、リブ２１の第２部分２１ｂはカード１９に当接して車両の振動等に起因するカード１９の上方向における移動を防止する。収納されたカード１９を棚板１８から取出すには、カード１９をリブ２１の第１部分２１ａに沿わせて移動させることにより取出す。
【０００８】
【発明の実施の形態】
次に本発明の実施の形態を図面に基づいて詳しく説明する。
図４及び図５に示すように、本発明のコンソールボックス１０は、上側に開口部１１ａ（図５）を有するコンソールボックス本体１１と、この開口部１１ａを開閉可能に取付けられた蓋体１２とを備える。図５に示すように、蓋体１２の内面側後端には幅方向両側に取付片１２ａ，１２ａが一体的に形成され、コンソールボックス本体１１の上側の後端にはその取付片１２ａ，１２ａに対向するように設けられた取付部１１ｂ，１１ｂが形成される。蓋体１２の取付片１２ａ，１２ａは、コンソールボックス本体１１の取付部１１ｂ，１１ｂにそれぞれ枢支され、図４の実線で示すように開口部１１ａを閉止した状態から一点鎖線で示す開口部１１ａを開放した状態まで蓋体１２はコンソールボックス本体１１に対して回転可能に取付けられる。
【０００９】
図１〜図３に示すように、蓋体１２はアウタリッド１３とこのアウタリッド１３と間隔をあけて対面して設けられたインナリッド１４を有し、アウタリッド１３の上面は緩衝及び装飾のために表皮１６により覆われて形成される。アウタリッド１３及びインナリッド１４はそれぞれ樹脂を成形することにより作られ、図１に示すように、アウタリッド１３の内面側には複数のボス１３ａ（図に１個のみ示す）が一体的に形成される。インナリッド１４はその周縁をアウタリッド１３の周縁と係合させた状態で、そのボス１３ａに取付ネジ１７を螺合することによりアウタリッド１３に所定の間隔をあけて対面して設けられる。
【００１０】
図５に示すように、蓋体１２にはこの蓋体１２の内面と間隔をあけて対面するカード収納用の棚板１８，１８が設けられる。本実施の形態における棚板１８，１８は、幅方向中央部に長手方向に連続する切欠き１８ａが形成されるように、蓋体１２の枢支された基端側にインナリッド１４に一体的に一対形成される。棚板１８には、図１及び図２に示すように、その棚板１８に置かれたカード１９の長手方向の移動を禁止する前壁１８ｂ及び後壁１８ｃと、図３に示すように、カード１９の幅方向の移動を禁止する側壁１８ｄ，１８ｄがそれぞれ一体的に形成される。
【００１１】
図１及び図３に示すように、蓋体１２の内面であるアウタリッド１３には互いに平行な複数のリブ２１が棚板１８に向って蓋体１２の長手方向に突設される。本実施の形態におけるリブ２１は複数の補助リブ２２により補強された状態で２本形成される。図１に示すように、棚板１８のカード挿脱側に対向する第１部分２１ａが低くかつ棚板１８の内部に対向する第２部分２１ｂが第１部分２１ａより高く形成される。第１部分２１ａの先端は前壁１８ｂの先端とカード１９を挿入可能な隙間を有する所定の間隔をあけるように形成される。第２部分２１ｂの先端は後壁１８ｃと僅かに重なる高さを有して形成され、第１部分２１ａと第２部分２１ｂの間には縦壁部分２１ｃが形成される。
なお、インナリッド１４には、第１部分２１ａと前壁１８ｂにより形成されるカード１９を挿入可能な隙間と所定の間隔あけてその隙間を覆うように湾曲部１４ａが形成される。
【００１２】
このように構成されたコンソールボックスでは、カード１９を収納する場合には、図１の１点鎖線で示すように、カード１９をリブ２１の第１部分２１ａの先端に沿わせて移動させ、第１部分２１ａと前壁１８ｂにより形成される隙間から挿入することにより棚板１８の上に置いて収納する。収納されたカード１９は棚板の１８の前壁１８ｂ及び後壁１８ｃにより蓋体１２の長手方向の移動が禁止され、側壁１８ｄ，１８ｄ（図３）により幅方向の移動が禁止される。また、車両の振動等に起因するカード１９の上方向における移動はリブ２１の第２部分２１ｂがカード１９に当接して禁止することにより、カード１９が振動等により棚板１８から紛失することを防止する。
【００１３】
収納状態で第２部分２１ｂに当接するまで複数枚のカード１９が収納された場合には、それ以上のカード１９の収納を、カード１９が隙間から挿入されるときに第１部分２１ａと第２部分２１ｂの間に形成された縦壁部分２１ｃが、挿入されたカード１９の端縁に当接してそれ以上のカード１９の収納を禁止し、過剰にカード１９が収納されることによる棚板１８の変形を回避して棚板１８が破損することを防止する。また、車両の振動等に起因して仮にカード１９が第１部分２１ａと前壁１８ｂとの隙間から抜出したとしても、その隙間と所定の間隔あけて形成されたインナリッドの湾曲部１４ａにカード１９の抜出した端縁が当接し、湾曲部１４ａはそれ以上のカード１９の抜出しを禁止してカード１９の紛失を防止する。
一方、収納されたカード１９を棚板１８から取出すには、切欠き１８ａから指を挿入してカード１９を押上げ、カード１９の端縁を第１部分２１ａと前壁１８ｂにより形成される隙間に対向させる。その状態からカード１９をリブ２１の第１部分２１ａに沿わせて引出すように移動させることにより容易に取出す。
【００１４】
【発明の効果】
以上述べたように、本発明によれば、蓋体にカード収納用の棚板を設けるのでコンソールボックスの内部の空間を有効に利用してカード用の独立した収納箇所を他の小物の収納箇所と分離して形成することができる。また、蓋体の内面に互いに平行な複数のリブを棚板に向って蓋体の長手方向に突設し、そのリブの棚板のカード挿脱側に対向する第１部分を低くかつ棚板の内部に対向する第２部分を第１部分より高く形成したので、その低く形成されたカード挿脱側に対向する第１部分から棚板にカードを挿入するだけの簡単な動作で、カードをその棚板に容易に収納することができる。更に、リブの第２部分は棚板に収納されたカードの上側に当接して車両の振動等に起因するカードの上方向における移動を禁止してカードの紛失を防止することができる。一方、棚板の幅方向中央部に長手方向に連続する切欠きを形成したので、切欠きから指を挿入して収納されたカードを押上げ、押上げられたカードをリブの第１部分に沿わせて移動させることにより収納されたカードを棚板から容易に取出すこともできる。
【００１５】
蓋体がアウタリッドと間隔をあけて対面して設けられたインナリッドを有する場合には、棚板をインナリッドに一体的に形成することにより、コンソールボックス内部の空間を有効に利用して容易かつ安価にカードの収納箇所を形成することができる。この結果、カードを他も小物と有効に区別して収納し、その収納及び取出しが容易なコンソールボックスを得ることができる。
【図面の簡単な説明】
【図１】本発明のコンソールボックスを示す図４のＡ−Ａ線断面図。
【図２】図４のＢ−Ｂ線断面図。
【図３】図４のＣ−Ｃ線断面図。
【図４】そのコンソールボックスの斜視図。
【図５】開口部を開放するように回転した蓋体の内面を示す斜視図。
【符号の説明】
１０  コンソールボックス
１１  コンソールボックス本体
１１ａ  開口部
１２  蓋体
１３  アウタリッド
１４  インナリッド
１８  棚板
１８ａ  切欠き
２１  リブ
２１ａ  第１部分
２１ｂ  第２部分
【図１】
0004206455.tif 000002
【図２】
0004206455.tif 000003
【図３】
0004206455.tif 000004
【図４】
0004206455.tif 000005
【図５】
0004206455.tif 000006